(57)【要約】【課題】コスト、美観、取扱い性などを維持しつつ、耐荷重性を向上させた梱包箱を提供する。【解決手段】本発明の梱包箱は、少なくとも複数の側面と底面とを有し、複数の側面は、互いに接合されている第１の部材１と第２の部材１’とによって構成されている。第１の部材１と第２の部材１’の接合部は、隣接する側面同士の境界部分に位置しており、接合部が位置する境界部分には、側面と、該側面に連続して設けられた接続面と、該接続面に連続して設けられた折返し部とからなる柱が設けられている。第１の部材１と前記第２の部材１’は、それぞれ複数の側面の一部を形成する側面形成部２、３’と、側面形成部２、３’の一方の端部に連続して設けられた、接続面を形成する接続面形成部６および折返し部７と、を少なくとも有している。【選択図】図２
2012250750.tif 000002
【特許請求の範囲】
【請求項１】
少なくとも複数の側面と底面とを有し、前記複数の側面は、互いに接合されている第１の部材と第２の部材とによって構成されている梱包箱であって、
前記第１の部材と前記第２の部材の接合部は、隣接する側面同士の境界部分に位置しており、前記接合部が位置する前記境界部分には、前記側面と、該側面に連続して設けられた接続面と、該接続面に連続して設けられた折返し部とからなる柱が設けられており、
前記第１の部材と前記第２の部材は、それぞれ前記複数の側面の一部を形成する側面形成部と、前記側面形成部の一方の端部に連続して設けられた、前記接続面を形成する接続面形成部および前記折返し部と、を少なくとも有しており、
前記側面形成部は前記梱包箱の内側に位置している内面と外側に位置している外面とを有しており、
前記第１の部材の前記接続面形成部は、前記第１の部材の前記側面形成部の前記一方の端部から該側面形成部の前記内面に向かう方向に折り曲げられ、前記第２の部材の前記側面形成部の前記内面であって、前記一方の端部と対向する他方の端部に接合されており、前記第１の部材の前記折返し部は、前記接続面形成部から前記第１の部材の前記側面形成部の前記内面に向けて折り返されて、先端が前記内面に当接して、前記柱が形成されており、
前記第２の部材の前記接続面形成部は、前記第２の部材の前記側面形成部の前記一方の端部から該側面形成部の前記内面に向かう方向に折り曲げられ、前記第１の部材の前記側面形成部の前記内面であって、前記一方の端部と対向する他方の端部に接合されており、前記第２の部材の前記折返し部は、前記接続面形成部から前記第２の部材の前記側面形成部の前記内面に向けて折り返されて、先端が前記内面に当接して、もう１つの前記柱が形成されている、梱包箱。
【請求項２】
前記第１の部材および前記第２の部材の前記折返し部は前記側面形成部の前記内面に固定されていない自由端になっている、請求項１に記載の梱包箱。
【請求項３】
前記側面と、該側面に連続して設けられた前記接続面と、該接続面に連続して設けられた折返し部とからなる前記柱は、三角柱または四角柱である、請求項１または２に記載の梱包箱。
【請求項４】
前記第１の部材および前記第２の部材の前記折返し部は、曲面を形成している、請求項１または２に記載の梱包箱。
【請求項５】
少なくとも複数の側面と底面とを有する、梱包箱の製造方法であって、
少なくとも前記梱包箱の前記複数の側面の一部を形成し、前記梱包箱の内側に位置する内面と外側に位置する外面とを有する側面形成部と、前記側面形成部の一方の端部に連続して設けられた接続面形成部および折返し部とをそれぞれ有する第１の部材と第２の部材とを用いて、
前記第１の部材の前記接続面形成部を、前記第１の部材の前記側面形成部の前記一方の端部から該側面形成部の前記内面に向かう方向に折り曲げる工程と、
前記第２の部材の前記接続面形成部を、前記第２の部材の前記側面形成部の前記一方の端部から該側面形成部の前記内面に向かう方向に折り曲げる工程と、
前記第１の部材の前記接続面形成部を、前記第２の部材の前記側面形成部の前記内面であって、前記一方の端部と対向する他方の端部に接合する工程と、
前記第２の部材の前記接続面形成部を、前記第１の部材の前記側面形成部の前記内面であって、前記一方の端部と対向する他方の端部に接合する工程と、
前記第１の部材の前記折返し部を前記接続面形成部から前記第１の部材の前記側面形成部の前記内面に向けて折り返して、前記折返し部の先端を前記内面に当接させて、前記第１の部材の前記側面形成部と前記第２の部材の前記側面形成部の接合部に、前記側面と、前記接続面形成部によって形成される接続面と、前記折返し部とからなる柱を形成する工程と、
前記第２の部材の前記折返し部を前記接続面形成部から前記第２の部材の前記側面形成部の前記内面に向けて折り返して、前記折返し部の先端を前記内面に当接させて、前記第１の部材の前記側面形成部と前記第２の部材の前記側面形成部の接合部に、前記側面と、前記接続面形成部によって形成される接続面と、前記折返し部とからなる柱を形成する工程と、を少なくとも有する梱包箱の製造方法。
【請求項６】
前記第１の部材および前記第２の部材の前記折返し部を前記側面形成部の前記内面に固定せず、自由端にしておく、請求項５に記載の梱包箱の製造方法。
【請求項７】
前記折返し部を折り返す工程において、前記梱包箱の前記側面と、前記接続面と、前記折返し部とで三角柱または四角柱が形成されるように、前記折返し部を折り返す、請求項５または６に記載の梱包箱の製造方法。
【請求項８】
前記折返し部を折り返す工程において、曲面を形成するように、前記第１の部材および前記第２の部材の前記折返し部を折り返す、請求項５または６に記載の梱包箱の製造方法。
【発明の詳細な説明】
【技術分野】
【０００１】
本発明は、電子機器などの製品を緩衝材とともに梱包する梱包箱に関する。
【背景技術】
【０００２】
電子機器などの製品は、緩衝材とともに略直方体の梱包箱に梱包された状態で、輸送または保管される。この梱包箱は、例えば、段ボールシートを所定の形状に裁断して形成される２つの梱包箱形成シート同士を接合して側面を形成してから、梱包箱形成シートの一部を折り曲げて上面と下面（底面）を形成することで、略直方体の箱形状となる。
【０００３】
製品が梱包された状態の梱包箱を輸送したり保管したりするときには、複数の梱包箱が積み重ねられることが多い。このとき、例えば、２０ｋｇの記録装置を梱包した梱包箱を１０段積み重ねたとすると、最下段の梱包箱には１８０ｋｇ（２０ｋｇ×９箱）の荷重がかかる計算となる。そのため、梱包箱の変形を抑制することが必要となり、強度の高い段ボールシートを使用したり、梱包箱の内部空間の角部に補強部材として筒を入れたりするといった対策が取られ、コスト低減の足かせとなっている。
【０００４】
そこで、耐荷重性を向上させる梱包箱の構造が、例えば特許文献１に示されている。略直方体の梱包箱の側面を４つの部材で構成するようにし、その４つの部材を貼合わせて、梱包箱の側面によって囲まれる空間（以降「内部空間」とする）の角部に三角柱を形成するようにして、梱包箱の耐荷重性を向上させている。
【先行技術文献】
【特許文献】
【０００５】
【特許文献１】特開２００４−１８０７７号公報
【発明の概要】
【発明が解決しようとする課題】
【０００６】
特許文献１に記載の梱包箱の側面は、１対の側板、正面板、および背面板の４つの部材で構成されている。正面板および背面板にはそれぞれ側面形成部が設けられ、側面形成部の左右方向に折罫を介して補強縁部と補強縁貼付け部とが繋がっている。１対の側板にはそれぞれ側面形成部が設けられ、側面形成部の左右方向に折罫を介して胴部貼付け部が繋がっている。胴部貼付け部は直角に折り曲げられ、それぞれ正面板および背面板の側面形成部の左右方向の両端部に貼付けられている。補強縁部と補強縁貼付け部が梱包箱の内部空間の四隅に三角柱を形成するように折り曲げられ、補強縁貼付け部が、側板の側面形成部の、梱包箱の内側となる内面に貼付けられている。
【０００７】
このようにして梱包箱の側面を構成した場合、使用する部材が増えるため、組立工数や製造コストが増加してしまう。また、胴部貼付け部が正面板および背面板の側面形成部の端部ではなく面内の中央近くに位置するため、美観の低下や意匠上の制約を引き起こす。さらに、輸送や保管の際に、梱包箱を畳んで平らにするためには、一度、１対の側板と、正面板と、背面板とにおける貼付けを剥がさなければならない。
【０００８】
本発明は、上記課題を鑑みて、コスト、美観、取扱い性などを維持しつつ、耐荷重性を向上させた梱包箱を提供することを目的とする。
【課題を解決するための手段】
【０００９】
本発明の梱包箱は、少なくとも複数の側面と底面とを有し、複数の側面は、互いに接合されている第１の部材と第２の部材とによって構成されている。第１の部材と第２の部材の接合部は、隣接する側面同士の境界部分に位置しており、接合部が位置する境界部分には、側面と、該側面に連続して設けられた接続面と、該接続面に連続して設けられた折返し部とからなる柱が設けられている。
【００１０】
第１の部材と第２の部材は、それぞれ複数の側面の一部を形成する側面形成部と、側面形成部の一方の端部に連続して設けられた、接続面を形成する接続面形成部および折返し部と、を少なくとも有している。また、側面形成部は梱包箱の内側に位置している内面と外側に位置している外面とを有している。
【００１１】
第１の部材の接続面形成部は、第１の部材の側面形成部の一方の端部から該側面形成部の内面に向かう方向に折り曲げられ、第２の部材の側面形成部の内面であって、一方の端部と対向する他方の端部に接合されている。第１の部材の折返し部は、接続面形成部から第１の部材の側面形成部の内面に向けて折り返されて、先端が内面に当接して、柱が形成されている。
【００１２】
第２の部材の接続面形成部は、第２の部材の側面形成部の一方の端部から該側面形成部の内面に向かう方向に折り曲げられ、第１の部材の側面形成部の内面であって、一方の端部と対向する他方の端部に接合されている。第２の部材の折返し部は、接続面形成部から第２の部材の側面形成部の内面に向けて折り返されて、先端が内面に当接して、もう１つの柱が形成されている。
【発明の効果】
【００１３】
本発明によれば、コスト増加、美観の低下、および取扱い性の低下を引き起こすことなく、梱包箱の耐荷重性を向上させることができる。
【図面の簡単な説明】
【００１４】
【図１】本発明の梱包箱の外観斜視図である。
【図２】図１の梱包箱の角部の断面の概略図である。
【図３】本発明の梱包箱を構成する梱包箱形成シートの一例を示す概略構成図である。
【図４】本発明の梱包箱を畳んだときの様子を示す概略図である。
【図５】本発明の梱包箱の側面の角部の他の形状を示す概略図である。
【図６】本発明の梱包箱の側面の角部のさらに他の形状を示す概略図である。
【発明を実施するための形態】
【００１５】
以下に、添付の図面に基づき、本発明の実施の形態を説明する。なお、同一の機能を有する構成には添付図面中、同一の番号を付与し、その説明を省略することがある。
【００１６】
図１は、本発明の梱包箱の外観斜視図であり、図２は、図１の梱包箱の角部Ａの断面の概略図である。図３は、本発明の梱包箱を構成する梱包箱形成シートの一例を示す概略構成図である。本発明の梱包箱３０は、電子機器などの製品が梱包される梱包箱であって、少なくとも複数の側面と下面（底面）とを有しており、本実施形態では、４つの側面と、下面と、上面とを有している。また、梱包箱は、２つの梱包箱形成シート１、１’で構成されており、梱包箱形成シート１、１’は、例えば厚紙や段ボールシートを裁断することで形成されている。詳しくは後述するが、本発明の梱包箱３０は、梱包箱形成シート１、１’同士の接合部に、側面と、該側面に連続して設けられた接続面と、該接続面に連続して設けられた折返し部とで三角柱が形成されている（図２参照）。
【００１７】
梱包箱形成シート１、１’は、梱包箱の側面の一部を形成する側面形成部を有しており、側面形成部は、折罫１１、１１’を介して繋がる、第１の形成部２、２’と第２の形成部３、３’とで構成されている。側面形成部である第１の形成部２、２’と第２の形成部３、３’は、梱包箱の内側を形成する内面と、梱包箱の外側を形成する外面とを有する。また、梱包箱形成シート１、１’は、梱包箱の上面となる上面フラップと梱包箱の下面となる下面フラップを有している。上面フラップには、上面外フラップ４、４’と上面内フラップ９、９’とがあり、下面フラップには、下面外フラップ５、５’と下面内フラップ１０、１０’とがある。さらに、梱包箱形成シート１、１’は、接続面を形成する接続面形成部６、６’と、折返し部７、７’とを有している。
【００１８】
梱包箱形成シート１の具体的な形状について説明する。なお、以降、梱包箱形成シート１を「第１の部材１」、梱包箱形成シート１’を「第２の部材１’」と称する。また、第１の部材１と第２の部材１’の構成は同一であるため、第２の部材１’の説明を省略する。第１の形成部２と第２の形成部３とが折罫１１を介して繋がっている。第１の形成部２の、第１の形成部２と第２の形成部３とが並んだ方向とは垂直な方向の一方の端部には折罫１２を介して上面外フラップ４が、他方の端部には折罫１３を介して下面外フラップ５がそれぞれ繋がっている。
【００１９】
第２の形成部３の、第１の形成部２と第２の形成部３とが並んだ方向とは垂直な方向の一方の端部には折罫１４を介して上面内フラップ９が、他方の端部には折罫１５を介して下面内フラップ１０がそれぞれ繋がっている。
【００２０】
第１の形成部２の、第２の形成部３と対向する端部には、折罫１６を介して接続面形成部６と折返し部７とが連続して設けられている。接続面形成部６と折返し部７との間には折罫１７が設けられている。
【００２１】
次に、図１、２を参照して、梱包箱の製造方法について説明する。上述の形状に裁断された２枚の梱包箱形成シート１、１’同士を接合する方法を説明する。第１の部材１の接続面形成部６を内面に向かって折罫１６から垂直に折り曲げる。第１の部材１の接続面形成部６を、第２の部材１’の第２の形成部３’の、第１の形成部２とは対向する端部に接合する。このとき、第２の部材１’の第２の形成部３’の内面に第１の部材１の接続面形成部６が接合するようにする。接合の仕方としては、例えば、接着剤による貼付けや、ステーブルによる固定などが挙げられる。また、第１の部材１の折罫１７と、第２の部材１’の第２の形成部３’の第１の形成部２’と対向する端部の辺とが一致するようにする。このようにすることで、第１の部材１と第２の部材１’との接合部が、隣接する側面同士の境界部分に位置するので、梱包箱３０の美観を損なうことがない。同様にして、第２の部材１’の接続面形成部６’と、第１の部材１の第２の形成部３とを接合する。
【００２２】
第１の部材１と第２の部材１’との接合後、第１の部材１の折返し部７を第１の部材１の第１の形成部２の内面に向けて折返し、先端を第１の部材１の第１の形成部２の内面に当接させる。第２の部材１’の折返し部７’も同様にする。このようにすることで、梱包箱３０の側面の角部に、第１の部材１の、第１の形成部２、接続面形成部６および折返し部７とで三角柱が形成され、第２の部材１’の、第１の形成部２’、接続面形成部６’および折返し部７’とで三角柱が形成される。つまり、上述したように、本発明の梱包箱３０には、第１の部材１と第２の部材２’の接合部に、側面と、該側面に連続して設けられた接続面と、該接続面に連続して設けられた折返し部とで三角柱が形成される。そのため、梱包箱３０の側面の角部を強化することができる。
【００２３】
次に、第１の部材１と第２の部材１’の上面内フラップ９、９’および下面内フラップ１０、１０’を内側に折り曲げて、上面外フラップ４、４’および下面外フラップ５、５’を内側に折り曲げて、上面と下面とを形成して、梱包箱３０が完成する。
【００２４】
なお、折返し部７、７’は固定されていない自由端になっているため、梱包箱３０の内部に、製品と、製品を保護する緩衝材２０が組込まれることで、緩衝材２０と第１の形成部２、２’によって固定される。
【００２５】
また、折返し部７、７’は自由端である。そのため、図４に示すように、折返し部７、７’の折返しを戻すことで、梱包箱３０を畳んでも、折返し部７、７’、接続面（接続面形成部６、６’）、側面（第１の形成部２、２’および第２の形成部３、３’）が略同一平面に位置することができる。つまり、平らにすることができる。そのため、梱包箱の取扱い性を維持しつつ、未使用時における梱包箱の輸送性や保管性を確保することができる。
【００２６】
本発明の梱包箱３０は側面の角部が強化されているため、上下面、つまり垂直方向からの荷重に対する耐荷重性が向上している。そのため、製品が梱包された梱包箱が積み重ねられても、下段の梱包箱３０は、上段の梱包箱３０からの荷重に起因する座屈等による変形をせず、外観を維持するとともに、製品へ荷重がかかることを防止する。これによって、高強度の段ボールシートを使用したり、補強部材を追加したりといった対策が不要となる。例えば、段ボールシートをＷフルート（厚さ約８ｍｍ）からＡフルート（厚さ約５ｍｍ）にして、コストダウンやサイズダウンを図ることができる。さらには、段ボールシートの中芯やライナーを紙強度の低い材料で構成することができるため、さらなるコストダウンを図ることができる。
【００２７】
なお、上述の実施形態の説明では、２つの部材１、１’で梱包箱３０を構成していたが、本発明を利用できるのであれば、いずれの数の部材で構成しても構わない。
【００２８】
また、梱包箱３０には、側面（第１の形成部２、２’）、接続面（接続面形成部６、６’）および折返し部７、７’とで三角柱が形成されていた。しかしこの形状に限定されず、例えば、図５に示すように、接続面形成部から折り返されている折返し部を、折返し部自体の中間位置でさらに折って四角柱を形成するようにしてもよい。さらに、図６に示すように、折返し部７は曲面を有するように湾曲させてもよい（折返し部７’も同様）。
【００２９】
第１の部材１と第２の部材１’との接合部は、梱包箱３０に入れる製品の重心のずれ方向に合わせて配置するようにしてもよい。
【符号の説明】
【００３０】
１  第１の部材（梱包箱形成シート）
１’第２の部材（梱包箱形成シート）
２、２’  第１の形成部（側面形成部）
３、３’  第２の形成部（側面形成部）
６、６’  接続面形成部
７、７’  折返し部
３０  梱包箱
【図１】
2012250750.tif 000003
【図２】
2012250750.tif 000004
【図３】
2012250750.tif 000005
【図４】
2012250750.tif 000006
【図５】
2012250750.tif 000007
【図６】
2012250750.tif 000008